(57)【要約】【課題】  時計ケースを制約せずに、先端側のバンド駒の回転を規制でき、外観的にもデザイン的にも好ましい時計バンドを得る。【解決手段】  複数のバンド駒２それぞれは、腕時計ケース側の一端部に一対の第１筒部１１が切欠き部１０を挟んで形成され、且つ他端部に第２筒部１３が形成された連結片７と、この連結片７に積層される金属製の中芯８と、連結片７と中芯８とを積層させて第１筒部１１を突出させた状態で包み込む金属製の駒本体９とを有し、先端側のバンド駒２における中芯８にバンド駒２の回転を規制する回転規制部１５を一体に形成した。従って、バンド駒２同士の連結部分が外部から見えないようにできると共に、腕時計ケースが制約を受けずに、回転規制部１５で先端側のバンド駒２の回転を規制することができる。また、時計バンドを腕に装着したときに、回転規制部１５が露出しないので、外観的にもデザイン的にも好ましい時計バンドを得ることができる。【選択図】        図６
2006175081.tif 000002
【特許請求の範囲】
【請求項１】
複数のバンド駒をそれぞれ連結ピンによって順次連結して時計ケースのバンド取付部に取り付けられる時計バンドにおいて、
前記複数のバンド駒それぞれは、前記時計ケース側に位置する一端部に前記連結ピンが挿入する一対の第１筒部が切欠き部を挟んで形成され、且つ他端部に他の前記連結ピンが挿入する第２筒部が前記切欠き部に対応する幅で形成された連結片と、この連結片に積層される金属製の中芯と、前記連結片と前記中芯とを積層させて前記連結片の前記第１筒部を突出させた状態で包み込む金属製の駒本体とを有し、
前記時計ケースに取り付けられる先端側のバンド駒は、前記中芯と前記駒本体との一方に、前記先端側のバンド駒の回転を規制する回転規制部が設けられていることを特徴とする時計バンド。
【請求項２】
前記回転規制部は、前記連結片の前記切欠き部に対応して前記中芯から前記第１筒部の先端側に向けて斜め下方に延出された状態で、前記中芯に一体に形成されていることを特徴とする請求項１に記載の時計バンド。
【請求項３】
前記回転規制部は、前記連結片の前記切欠き部に対応して前記駒本体から前記第１筒部の先端側に向けて斜め下方に延出された状態で、前記駒本体に一体に形成されていることを特徴とする請求項１に記載の時計バンド。
【請求項４】
前記回転規制部は、前記連結片の前記切欠き部に対応して前記駒本体から前記第１筒部の先端側に向けて斜め下方に延出された状態で、前記駒本体の下面に一体的に固着されていることを特徴とする請求項１に記載の時計バンド。
【請求項５】
前記先端側のバンド駒における前記駒本体から前記時計ケース側に向けて突出する部分を覆うカバー部材を備えていることを特徴とする請求項１〜４のいずれかに記載の時計バンド。
【発明の詳細な説明】
【技術分野】
【０００１】
この発明は、腕時計に用いられる時計バンドに関し、更に詳しくは複数のバンド駒を順次連結してなる時計バンドに関する。
【背景技術】
【０００２】
従来、時計ケースのバンド取付部に取り付けられる時計バンドにおいては、特許文献１の図１および図２に記載されているように、複数の金属製のバンド駒をそれぞれ連結ピンによって順次連結すると共に、時計ケースに取り付けられる先端側のバンド駒に先かんを取り付け、この先かんを時計ケースのバンド取付部に取り付けるように構成されている。
【特許文献１】実開平６−８４３８７号公報
【０００３】
すなわち、この時計バンドは、その先端側の先かんをバンド取付部の一対の脚部の間に挿入し、この挿入した先かんの先端を時計ケースの外側面に当接させると共に、その先端上面を時計ケースの外側面に形成された庇の下面に当接させることにより、時計ケースのバンド取付部に対して先かんが勝手に回転しないように、先かんの回転を規制した構成になっている。
【０００４】
この場合、先かんは、金属板を打ち抜いて折り曲げ加工することにより、時計ケース側の先端部を時計ケースの外側面に当接する形状に形成し、他端部の両側に連結ピンであるばね棒が挿入する一対の巻回部を切欠き部を挟んで形成し、この一対の巻回部にばね棒を挿入し、このばね棒によって時計ケースのバンド取付部に取り付けられるように構成されている。
【０００５】
また、この時計バンドの複数のバンド駒は、一端部に先かんの一対の巻回部間に挿入するほぼ筒状の取付部が設けられ、他端部に先かんと同じ一対の巻回部が設けられ、先かん側に位置する前側のバンド駒の一対の巻回部間に後側のバンド駒の取付部を挿入して配置し、この状態で一対の巻回部と取付部とに連結ピンを挿入することにより、隣接するバンド駒同士が連結ピンによって連結され、これにより複数のバンド駒が順次連結されるように構成されている。
【発明の開示】
【発明が解決しようとする課題】
【０００６】
しかしながら、このような従来の時計バンドでは、先かんの先端の上面を時計ケースの外側面に形成された庇の下面に当接させることにより、先かんの回転を規制しているため、時計ケースの外側面に先かんの回転を規制する庇を設けなければならず、このため時計ケースが制約を受けるという問題がある。また、このような時計バンドでは、前側のバンド駒の一対の巻回部間に後側のバンド駒の取付部を挿入して連結ピンで連結する構成であるから、隣接するバンド駒同士の連結部分が外部から見えてしまい、外観的にもデザイン的にも好ましくないという問題もある。
【０００７】
なお、上記特許文献１の図３および図４に記載された時計バンドにおいては、先かんの幅方向における両側部にバンド取付部の脚部の下面に当接する爪を設け、この爪によってバンド取付部に対する先かんの回転を規制するように構成したものがある。しかし、このような時計バンドでは、バンド取付部の脚部の下面に当接する爪が先かんの側方に突出しているため、外観的に好ましくないばかりか、使用時に先かんの爪の先端が使用者の腕に当たり、怪我をする恐れがあるなどの問題がある。
【０００８】
この発明が解決しようとする課題は、隣接するバンド駒同士の連結部分が外部から見えないように隠すことができると共に、時計ケースを制約せずに、時計ケースに対する先端側のバンド駒の回転を規制することができ、外観的にもデザイン的にも好ましい時計バンドを提供することである。
【課題を解決するための手段】
【０００９】
この発明は、上記課題を解決するために、次のような構成要素を備えている。
なお、各構成要素には、後述する各実施形態の項で説明される各要素に付されている図面の参照番号などを括弧と共に付す。
【００１０】
請求項１に記載の発明は、図１〜図１９に示すように、複数のバンド駒（２、２０、３０）をそれぞれ連結ピン（連結ピン３、ばね棒１２）によって順次連結して時計ケース（４）のバンド取付部（５）に取り付けられる時計バンドにおいて、前記複数のバンド駒それぞれは、前記時計ケース側に位置する一端部に前記連結ピンが挿入する一対の第１筒部（１１）が切欠き部（１０）を挟んで形成され、且つ他端部に他の前記連結ピンが挿入する第２筒部（１３）が前記切欠き部に対応する幅で形成された連結片（７）と、この連結片に積層される金属製の中芯（８）と、前記連結片と前記中芯とを積層させて前記連結片の前記第１筒部を突出させた状態で包み込む金属製の駒本体（９、２１、３１）とを有し、前記時計ケースに取り付けられる先端側のバンド駒は、前記中芯と前記駒本体との一方に、前記先端側のバンド駒の回転を規制する回転規制部（１５、２２、３２）が設けられていることを特徴とする時計バンドである。
【００１１】
請求項２に記載の発明は、図１〜図１０に示すように、前記回転規制部（１５）が、前記連結片（７）の前記切欠き部（１０）に対応して前記中芯（８）から前記第１筒部（１１）の先端側に向けて斜め下方に延出された状態で、前記中芯に一体に形成されていることを特徴とする請求項１に記載の時計バンドである。
【００１２】
請求項３に記載の発明は、図１１〜図１５に示すように、前記回転規制部（２２）が、前記連結片（７）の前記切欠き部（１０）に対応して前記駒本体（２１）から前記第１筒部（１１）の先端側に向けて斜め下方に延出された状態で、前記駒本体に一体に形成されていることを特徴とする請求項１に記載の時計バンドである。
【００１３】
請求項４に記載の発明は、図１６〜図１９に示すように、前記回転規制部（３２）が、前記連結片（７）の前記切欠き部（１０）に対応して前記駒本体（３１）から前記第１筒部（１１）の先端側に向けて斜め下方に延出された状態で、前記駒本体の下面に一体的に固着されていることを特徴とする請求項１に記載の時計バンドである。
【００１４】
請求項５に記載の発明は、図１〜図１９に示すように、前記先端側のバンド駒（２、２０、３０）における前記駒本体（９、２１、３１）から前記時計ケース（４）側に向けて突出する部分を覆うカバー部材（先かんカバー６）を備えていることを特徴とする請求項１〜４のいずれかに記載の時計バンドである。
【発明の効果】
【００１５】
請求項１に記載の発明によれば、複数のバンド駒それぞれが、時計ケース側に位置する一端部に連結ピンが挿入する一対の第１筒部が切欠き部を挟んで形成され、且つ他端部に他の連結ピンが挿入する第２筒部が切欠き部に対応する幅で形成された連結片と、この連結片に積層される金属製の中芯と、連結片と中芯とを積層させて連結片の第１筒部を突出させた状態で包み込む金属製の駒本体とを有しているので、先端側に位置する前側のバンド駒の第２筒部をその後側のバンド駒の第１筒部間に配置して、第１、第２筒部に連結ピンを挿入することにより、複数のバンド駒をそれぞれ連結ピンによって順次連結することができ、この連結された複数のバンド駒を腕に取り付けると、各バンド駒の連結部分が外部から見えないように隠すことができ、これにより外観的にもデザイン的にも好ましい時計バンドを得ることができる。
【００１６】
この場合には、特に時計ケースに取り付けられる先端側のバンド駒は、中芯と駒本体との一方に先端側のバンド駒の回転を規制する回転規制部が設けられているので、この回転規制部によって時計ケースに対する先端側のバンド駒の回転を規制することができる。このため、従来例のように時計バンドの先かんが当接する庇を時計ケースに設ける必要がないので、時計ケースが制約を受けることがない。また、時計バンドを腕に装着したときに、回転規制部がバンド駒の側方に突出することがなく、回転規制部を外部から見えないように隠すことができ、これによっても外観的にもデザイン的にも好ましいものを得ることができると共に、使用時に回転規制部によって使用者が怪我をする恐れもないため、良好に腕に装着して安全に使用することができる。
【００１７】
請求項２に記載の発明によれば、回転規制部が、連結片の切欠き部に対応して中芯から第１筒部の先端側に向けて斜め下方に延出された状態で、中芯に一体に形成されていることにより、先端側のバンド駒の中芯のみに回転規制部を形成するだけで良いので、複数のバンド駒の各部品のうち、中芯の一部、つまり先端側のバンド駒の中芯を除くほぼ全ての部品の共通化を図ることができ、このため回転規制部を設けても部品点数の増加を最小限に抑えることができ、しかも回転規制部が中芯に一体に形成されているので、回転規制部の強度をも確保することができる。
【００１８】
請求項３に記載の発明によれば、回転規制部が、連結片の切欠き部に対応して駒本体から第１筒部の先端側に向けて斜め下方に延出された状態で、駒本体に一体に形成されていることにより、先端側のバンド駒の駒本体のみに回転規制部を形成するだけで良いので、複数のバンド駒の各部品のうち、駒本体の一部、つまり先端側のバンド駒の駒本体を除くほぼ全ての部品の共通化を図ることができ、このため請求項２に記載の発明と同様、回転規制部を設けても部品点数の増加を最小限に抑えることができ、しかも回転規制部が駒本体に一体に形成されているので、回転規制部の強度をも確保することができる。
【００１９】
請求項４に記載の発明によれば、回転規制部が、連結片の切欠き部に対応して駒本体から第１筒部の先端側に向けて斜め下方に延出された状態で、駒本体の下面に一体的に固着されていることにより、回転規制部を別に形成することができ、この回転規制部を先端側のバンド駒における駒本体の下面にスポット溶接などで固着するだけで良いので、複数のバンド駒の全ての部品の共通化を図ることができると共に、回転規制部を設けても部品点数の増加を最小限に抑えることができる。
【００２０】
請求項５に記載の発明によれば、先端側のバンド駒における駒本体から時計ケース側に向けて突出する部分を覆うカバー部材を備えていることにより、連結片の一対の第１筒部、およびその間の切欠き部に対応する回転規制部が駒本体から突出していても、この突出した第１筒部および回転規制部をカバー部材で覆うことができるので、これによっても外観的およびデザイン的に好ましい時計バンドを得ることができる。
【発明を実施するための最良の形態】
【００２１】
（実施形態１）
以下、図１〜図１０を参照して、この発明の時計バンドの実施形態１について説明する。
図１はこの発明の時計バンドを腕時計ケースに取り付けた状態を示した要部の拡大側面図、図２は図１の時計バンドの先端側のバンド駒とバンド取付部とを示した分解正面図、図３は図２のバンド駒の側面図、図４は図２のバンド駒の底面図、図５は図４のバンド駒の斜視図である。
この時計バンド１は、図１に示すように、複数のバンド駒２をそれぞれ連結ピン３（図２参照）によって順次連結してなり、先端側のバンド駒２が先かんカバー６で覆われて腕時計ケース４のバンド取付部５にばね棒１２で取り付けられるように構成されている。
【００２２】
この場合、腕時計ケース４のバンド取付部５は、図１および図２に示すように、腕時計ケース４の１２時側と６時側（図１および図２では一方のみを示す）に位置する外側面に一対の脚部５ａが斜め下方に突出して設けられた構成になっている。また、複数のバンド駒２のうち、腕時計ケース４のバンド取付部５側に位置する先端側のバンド駒２は、図６に示すように、金属製の連結片７と、この連結片７の下面に配置される金属製の中芯８と、連結片７および中芯８を積層させた状態で包み込む金属製の駒本体９とを備えた構成になっている。
【００２３】
連結片７は、図２〜図１０に示すように、バンド取付部５の一対の脚部５ａ間に対応する幅の金属板を打ち抜いて折り曲げ加工したものであり、その一端部（図１０では左端部）には、切欠き部１０が打ち抜き加工により形成されている。この切欠き部１０の両側に位置する各先端には、図５および図６に示すように、円筒状に丸められた一対の第１筒部１１が形成されている。この一対の第１筒部１１は、その各内部に図２に示すばね棒１２が挿入するように構成されている。
【００２４】
また、この連結片７の他端部（図６では右端部）には、図２〜図１０に示すように、金属板の両側が切り欠かれた状態で円筒状に丸められた第２筒部１３が形成されている。この第２筒部１３は、図４、図５、および図１０に示すように、その幅が一端部側の切欠き部１０の幅とほぼ同じか、それよりも少し短い長さに形成され、その内部に図２に示す連結ピン３が挿入するように構成されている。
【００２５】
中芯８は、連結片７を補強するためのものであり、図９に示すように、金属板を打ち抜いて折り曲げ加工することにより、本体部分８ａが連結片７の平板部とほぼ同じ形状に形成され、図６に示すように、連結片７の下面に配置されるように構成されている。この場合、中芯８は、その一端部（図２では左端部）に先端側のバンド駒２の回転を規制する回転規制部１５が一体に形成されている。すなわち、この回転規制部１５は、図６に示すように、中芯８の本体部分８ａの一端部（図６では左端部）がほぼ垂直に折り曲げられ、この折り曲げられた下端部から連結片７の切欠き部１０に対応した状態で、第１筒部１１の先端に向けて斜め下方に延出されている。
【００２６】
駒本体９は、図８に示すように、金属薄板を打ち抜いて折り曲げ加工したものであり、図６に示すように、その上側内部に合成樹脂製の中駒１６および緩衝部材１７が設けられ、この状態で連結片７と中芯８とを包み込むように構成されている。すなわち、この駒本体９は、図８に示す金属薄板の両側（同図では上下に位置する両側）を連結片７および中芯８の各幅とほぼ同じ幅で折り曲げ、その両側部９ａを連結片７の下に配置された中芯８の下面に沿って折り曲げ、この折り曲げられた下部９ｂの先端を図４および図５に示すように中芯８の下面の中央で突き合わせることにより、連結片７と中芯８とを積層させた状態で包み込んでいる。
【００２７】
この場合、駒本体９は、図２〜図６に示すように、その上部９ｃの前端部（図２では左端部）がほぼ円弧状に切り欠かれて連結片７の切欠き部１０および第１筒部１１を露呈させ、上部９ｃの後端部（図２では右端部）が連結片７の切欠き部１０の幅で後方に向けてほぼ円弧状に突出する平面形状に形成され、この平面形状の上部９ｃが図３〜図６に示すように連結片７の第２筒部１３の上側を覆うように構成されている。また、この駒本体９は、図６に示すように、その上部９ｃの前後端（図６では左右端）にそれぞれ縁部９ｄが垂直に折り曲げられ、この折り曲げられた縁部９ｄおよび両側部９ａで囲われた上部９ｃ内に合成樹脂製の中駒１６が配置され、この中駒１６の下面に緩衝部材１７が配置された構成になっている。
【００２８】
中駒１６は、図６および図７に示すように、その厚みが駒本体９の上部９ｃに形成された縁部９ｄの高さとほぼ同じか、それよりも少し薄く形成され、駒本体９の上部９ｃ内に密着して配置されている。また、緩衝部材１７は、図６および図７に示すように、その両側（図７では左右に位置する両側）の厚みが薄く、中央に向けて次第に厚くなるほぼ平板状に形成され、図６に示すように、連結片７の上面における後寄り（図６では右寄り）に第２筒部１３を除いて配置されている。これにより、駒本体９は、連結片７と中芯８とを包み込んだ状態で、図３〜図６に示すように、連結片７の第１筒部１１と中芯８の回転規制部１５とが腕時計ケース４側（図３では左側）に突出して露出し、連結片７の第２筒部１３が駒本体９の上部９ｃで覆われて下側に露出するように構成されている。
【００２９】
ところで、この先端側のバンド駒２は、図１に示すように、腕時計ケース４のバンド取付部５に取り付けられるときに、図２に示すように、連結片７の第１筒部１１内にばね棒１２を挿入して、第１筒部１１を腕時計ケース４に設けられたバンド取付部５の一対の脚部５ａ間に配置し、この状態でばね棒１２の両端を一対の脚部５ａに対向して設けられた取付孔５ｂに挿入することにより、バンド取付部５に取り付けられるように構成されている。そして、この先端側のバンド駒２は、図１に示すように、先かんカバー６によって駒本体９から腕時計ケース４側に向けて突出した連結片７の第１筒部１１および中芯８の回転規制部１５が覆われるように構成されている。
【００３０】
すなわち、この先かんカバー６は、金属板を折り曲げることにより、図１に示すように、バンド取付部５の一対の脚部５ａに跨って各脚部５ａの上面およびその両側面を覆う形状に形成され、バンド取付部５にばね棒１２によって前後２か所が取り付けられるように構成されている。この場合、先かんカバー６の下面には、図１に示すように、腕時計ケース４の下面外周、つまり腕時計ケース４の裏蓋４ａにおける周縁部の下面に延びる下部カバー部１８が設けられている。
【００３１】
一方、時計バンド１の各バンド駒２のうち、先端側のバンド駒２を除く他のバンド駒２は、各中芯８が先端側のバンド駒２の中芯８と異なる構成で、これ以外は全て同じ構成になっている。すなわち、これら他のバンド駒２は、図示しないが、中芯８に回転規制部１５が設けられていない構造で、先端側に位置する前側のバンド駒２の第２筒部１３をその後側に位置するバンド駒２の第１筒部１１間に配置して、前側のバンド駒２の第２筒部１３と後側のバンド駒２の第１筒部１１とを対応させ、この状態で第１、第２筒部１１、１３内に連結ピン３を挿入することにより、互いに隣接するバンド駒２同士が順次連結されるように構成されている。
【００３２】
このような時計バンド１によれば、複数のバンド駒２それぞれが、腕時計ケース４側の一端部に一対の第１筒部１１が切欠き部１０を挟んで形成され、且つ他端部に第２筒部１３が切欠き部１０に対応する幅で形成された連結片７と、この連結片７に積層される金属製の中芯８と、連結片７と中芯８とを積層させて連結片７の第１筒部１１を突出させた状態で包み込む金属製の駒本体９とを有しているので、先端側に位置する前側のバンド駒２の第２筒部１３をその後側のバンド駒２の第１筒部１１間に配置して対応させ、この状態で第１、第２筒部１１、１３内に連結ピン３を挿入することにより、複数のバンド駒２をそれぞれ連結ピン３によって順次連結することができ、この連結された複数のバンド駒２を腕に取り付けると、各バンド駒２の連結部分が外部から見えないように隠すことができ、これにより外観的にもデザイン的にも好ましいものを得ることができる。
【００３３】
この場合には、特に腕時計ケース４に取り付けられる先端側のバンド駒２の中芯８に、先端側のバンド駒２の回転を規制する回転規制部１５を一体に形成したので、中芯８に設けられた回転規制部１５が先かんカバー６の下部カバー部１８に当接することにより、腕時計ケース４に対する先端側のバンド駒２の回転を規制することができる。このため、従来例のように時計バンドの先かんが当接する庇を腕時計ケース４に設ける必要がないので、腕時計ケース４が制約を受けることがない。
【００３４】
また、時計バンド１を腕に装着したときには、回転規制部１５がバンド駒２の側方に突出することがなく、回転規制部１５が外部から見えないように隠れるので、これによっても外観的にもデザイン的にも好ましい時計バンド１を得ることができると共に、回転規制部１５が外部に露呈しないため、使用時に回転規制部１５によって使用者が怪我をする恐れもなく、良好に腕に装着して安全に使用することができる。
【００３５】
また、この回転規制部１５は、連結片７の切欠き部１０に対応して中芯８から第１筒部１１の先端側に向けて斜め下方に延出された状態で、中芯８に一体に形成されているので、先端側のバンド駒２の中芯８のみに回転規制部１５を形成するだけで良く、このため複数のバンド駒２の各部品のうち、中芯８の一部、つまり先端側のバンド駒２の中芯８を除くほぼ全ての部品の共通化を図ることができる。このため、回転規制部１５を備えていても部品点数の増加を最小限に抑えることができ、しかも回転規制部１５が中芯８に一体に形成されているので、回転規制部１５の強度をも確保することができる。
【００３６】
さらに、この時計バンド１によれば、先端側のバンド駒２における駒本体９から腕時計ケース４側に向けて突出する部分を覆う先かんカバー６が腕時計ケース４のバンド取付部５に取り付けられているので、連結片７の一対の第１筒部１１およびその間の切欠き部１０に対応する中芯８の回転規制部１５が駒本体９から突出していても、この突出した部分を先かんカバー６で覆うことができる。これにより、駒本体９から突出する一対の第１筒部１１および切欠き部１０に対応する中芯８の回転規制部１５を外部から見えないように隠すことができ、これによっても外観的にもデザイン的にも好ましいものを得ることができる。
【００３７】
（実施形態２）
次に、図１１〜図１５を参照して、この発明の時計バンドの実施形態２について説明する。なお、図１〜図１０に示された実施形態１と同一部分には同一符号を付して説明する。
この時計バンド１は、複数のバンド駒２０のうち、腕時計ケース４側に位置する先端側のバンド駒２０が実施形態１と異なる構成で、これ以外は実施形態１とほぼ同じ構成になっている。すなわち、先端側のバンド駒２０は、駒本体２１に回転規制部２２を一体に形成した構成になっている。なお、バンド駒２０の中芯８は、連結片７の平板部に対応する平板状に形成され、実施形態１の回転規制部１５が形成されていない構成になっている。
【００３８】
この場合、駒本体２１は、図１５に示すように、金属薄板を打ち抜いて折り曲げ加工したものであり、図１４に示すように、その上側内部に合成樹脂製の中駒１６および緩衝部材１７が設けられ、この状態で連結片７と中芯８とを包み込むように構成されている。すなわち、この駒本体２１は、図１５に示す金属薄板の両側（同図では上下に位置する両側）を連結片７および中芯８の各幅とほぼ同じ幅で折り曲げ、図１３に示すように、その両側部２１ａを連結片７の下に配置された中芯８の下面に沿って折り曲げ、この折り曲げられた下部２１ｂの先端を中芯８の下面の中央で突き合わせることにより、連結片７と中芯８とを積層させた状態で包み込んでいる。
【００３９】
また、この駒本体２１は、図１１に示すように、その上部２１ｃの前端部（図１１では左端部）がほぼ円弧状に切り欠かれて連結片７の切欠き部１０および第１筒部１１を露呈させ、上部２１ｃの後端部（図１１では右端部）が連結片７の切欠き部１０の幅で後方に向けてほぼ円弧状に突出する平面形状に形成され、この平面形状上部２１ｃが連結片７の第２筒部１３の上側を覆うように構成されている。また、この駒本体２１は、図１４に示すように、上部２１ｃの前後端（図１４では左右端）にそれぞれ縁部２１ｄが垂直に折り曲げられ、この折り曲げられた縁部２１ｄおよび両側部２１ａで囲われた上部２１ｃ内に合成樹脂製の中駒１６が配置され、この中駒１６の下面に緩衝部材１７が配置された構成になっている。
【００４０】
さらに、この駒本体２１は、図１３に示すように、中芯８の下面に沿って折り曲げられた下部２１ｂにそれぞれ回転規制部２２が一体に形成されている。すなわち、これら回転規制部２２は、図１４に示すように、駒本体２１の下部２１ｂにおける腕時計ケース４側の端部（図１４では左端部）がほぼ垂直に折り曲げられ、この折り曲げられた下端部から連結片７の切欠き部１０に対応した状態で、第１筒部１１の先端に向けて斜め下方に延出されている。これにより、駒本体２１は、連結片７と中芯８とを包み込んだ状態で、図１１〜図１４に示すように、連結片７の第１筒部１１および駒本体２１の各回転規制部２２が腕時計ケース４側（図１４では左側）に突出して露出し、連結片７の第２筒部１３が駒本体２１の上部２１ｃで覆われて下側に露出するように構成されている。
【００４１】
ところで、この先端側のバンド駒２０においても、図１に示すように、腕時計ケース４のバンド取付部５に取り付けるときに、実施形態１と同様、連結片７の第１筒部１１内にばね棒１２を挿入して、第１筒部１１を腕時計ケース４に設けられたバンド取付部５の一対の脚部５ａ間に配置し、この状態でばね棒１２の両端を一対の脚部５ａに対向して設けられた各取付孔５ｂに挿入することにより、バンド取付部５に取り付けられるように構成されている。そして、この先端側のバンド駒２０も、先かんカバー６によって駒本体２１から突出した連結片７の第１筒部１１が覆われるように構成されている。この場合にも、回転規制部２２は、先かんカバー６に設けられた下部カバー部１８に当接するように構成されている。
【００４２】
また、時計バンド１の各バンド駒２０のうち、先端側のバンド駒２０を除く他のバンド駒２０は、各駒本体２１が先端側のバンド駒２０の駒本体２１と異なる構成で、これ以外は全て同じ構成になっている。すなわち、これら他のバンド駒２０は、図示しないが、駒本体２１に回転規制部２２が設けられていない構造で、先端側に位置する前側のバンド駒２０の第２筒部１３をその後側に位置するバンド駒２０の第１筒部１１間に配置して、前側のバンド駒２０の第２筒部１３と後側のバンド駒２０の第１筒部１１とを対応させ、この状態で第１、第２筒部１１、１３内に連結ピン３を挿入することにより、互いに隣接するバンド駒２０同士が順次連結されるように構成されている。
【００４３】
このような時計バンド１においても、複数のバンド駒２０それぞれが、腕時計ケース４側に位置する一端部に一対の第１筒部１１が切欠き部１０を挟んで形成され、且つ他端部に第２筒部１３が切欠き部１０に対応する幅で形成された連結片７と、この連結片７に積層される金属製の中芯８と、連結片７と中芯８とを積層させて連結片７の第１筒部１１を突出させた状態で包み込む金属製の駒本体２１とを有しているので、実施形態１と同様、複数のバンド駒２０をそれぞれ連結ピン３によって順次連結することができ、この連結された状態の複数のバンド駒２０を腕に取り付けると、各バンド駒２０の連結部分が外部から見えないように隠すことができ、これにより外観的にもデザイン的にも好ましいものを得ることができる。
【００４４】
この場合には、特に腕時計ケース４に取り付けられる先端側のバンド駒２０の駒本体２１にバンド駒２０の回転を規制する回転規制部２２を一体に形成したので、駒本体２１に設けられた回転規制部２２が先かんカバー６の下部カバー部１８に当接することにより、腕時計ケース４に対する先端側のバンド駒２０の回転を規制することができる。このため、実施形態１と同様、腕時計ケース４を制約せず、時計バンド１を腕に装着したときに、回転規制部２２が外部から見えないように隠すことができ、これにより外観的にもデザイン的にも好ましいものを得ることができ、良好に腕に装着して安全に使用することができる。
【００４５】
また、この回転規制部２２は、連結片７の切欠き部１０に対応して駒本体２１から第１筒部１１の先端側に向けて斜め下方に延出された状態で、駒本体２１に一体に形成されていることにより、先端側のバンド駒２０の駒本体２１のみに回転規制部２２を形成するだけで良いので、複数のバンド駒２０の各部品のうち、駒本体２１の一部、つまり先端側のバンド駒２０の駒本体２１を除くほぼ全ての部品の共通化を図ることができる。このため、回転規制部２２を設けても、実施形態１と同様、部品点数の増加を最小限に抑えることができ、しかも回転規制部２２が駒本体２１に一体に形成されているので、回転規制部２２の強度を確保することができる。
【００４６】
（実施形態３）
次に、図１６〜図１９を参照して、この発明の時計バンドの実施形態３について説明する。この場合には、図１〜図１５に示された実施形態１、２と同一部分に同一符号を付して説明する。
この時計バンド１は、複数のバンド駒３０のうち、腕時計ケース４側に位置する先端側のバンド駒３０が実施形態１、２と異なる構成で、これ以外は実施形態１、２とほぼ同じ構成になっている。すなわち、先端側のバンド駒３０は、図１７〜図１９に示すように、駒本体３１の下面に回転規制部３２をスポット溶接によって固着した構成になっている。
【００４７】
この場合、駒本体３１は、実施形態１と同様、金属薄板を打ち抜いて折り曲げ加工したものであり、図１９に示すように、その上側内部に合成樹脂製の中駒１６および緩衝部材１７が設けられ、この状態で連結片７と中芯８とを包み込むように構成されている。すなわち、この駒本体３１は、図８に示した金属薄板の両側（同図では上下に位置する両側）を連結片７および中芯８の各幅とほぼ同じ幅で折り曲げ、図１８に示すように、その両側部３１ａを連結片７の下に配置された中芯８の下面に沿って折り曲げ、この折り曲げられた下部３１ｂの先端を中芯８の下面の中央で突き合わせることにより、連結片７と中芯８とを積層させた状態で包み込んでいる。
【００４８】
また、この駒本体３１は、図１６に示すように、その上部３１ｃの前端部（図１６では左端部）がほぼ円弧状に切り欠かれて連結片７の切欠き部１０および第１筒部１１を露呈させ、上部３１ｃの後端部（図１６では右端部）が連結片７の切欠き部１０の幅で後方に向けてほぼ円弧状に突出する平面形状に形成され、この平面形状の上部３１ｃが図１７〜図１９に示すように連結片７の第２筒部１３の上側を覆うように構成されている。また、この駒本体３１は、図１９に示すように、上部３１ｃの前後端（図１９では左右端）にそれぞれ縁部３１ｄが垂直に折り曲げられ、この折り曲げられた縁部３１ｄおよび両側部３１ａで囲われた上部３１ｃ内に合成樹脂製の中駒１６が配置され、この中駒１６の下面に緩衝部材１７が配置された構成になっている。
【００４９】
さらに、この駒本体３１は、図１８に示すように、中芯８の下面に沿って折り曲げられた下部３１ｂに回転規制部３２がスポット溶接によって一体的に固着されている。すなわち、この回転規制部３２は、図１７〜図１９に示すように、駒本体３１の下部３１ｂにおける腕時計ケース４側の端部（図１７では左端部）がほぼ垂直に折り曲げられ、この折り曲げられた下端部から連結片７の切欠き部１０に対応した状態で、第１筒部１１の先端に向けて斜め下方に延出されている。これにより、駒本体３１は、連結片７と中芯８とを包み込んだ状態で、図１６〜図１９に示すように、連結片７の第１筒部１１および回転規制部３２が腕時計ケース４側（図１４では左側）に突出して露出し、連結片７の第２筒部１３が駒本体３１の上部３１ｃで覆われて下側に露出するように構成されている。
【００５０】
ところで、この先端側のバンド駒３０においても、図１に示したように、腕時計ケース４のバンド取付部５に取り付けるときに、実施形態１、２と同様、連結片７の第１筒部１１内にばね棒１２を挿入して、第１筒部１１を腕時計ケース４に設けられたバンド取付部５の一対の脚部５ａ間に配置し、この状態でばね棒１２の両端を一対の脚部５ａの各取付孔５ｂに挿入することにより、バンド取付部５に取り付けられるように構成されている。そして、この先端側のバンド駒３０も、先かんカバー６によって駒本体３１から突出した連結片７の第１筒部１１が覆われるように構成されている。この場合にも、回転規制部３２は、先かんカバー６に設けられた下部カバー部１８に当接するように構成されている。
【００５１】
また、時計バンド１の各バンド駒３０のうち、先端側のバンド駒３０を除く他のバンド駒３０は、各駒本体３１が先端側のバンド駒３０の駒本体３１と異なる構成で、これ以外は全て同じ構成になっている。すなわち、これら他のバンド駒３０は、図示しないが、駒本体３１に回転規制部３２が設けられていない構造で、先端側に位置する前側のバンド駒３０の第２筒部１３をその後側に位置するバンド駒３０の第１筒部１１間に配置して、前側のバンド駒３０の第２筒部１３と後側のバンド駒３０の第１筒部１１とを対応させ、この状態で第１、第２筒部１１、１３内に連結ピン３を挿入することにより、互いに隣接するバンド駒３０同士が順次連結されるように構成されている。
【００５２】
このような時計バンド１においても、複数のバンド駒３０それぞれが、腕時計ケース４側に位置する一端部に一対の第１筒部１１が切欠き部１０を挟んで形成され、且つ他端部に第２筒部１３が切欠き部１０に対応する幅で形成された連結片７と、この連結片７に積層される金属製の中芯８と、連結片７と中芯８とを積層させて連結片７の第１筒部１１を突出させた状態で包み込む金属製の駒本体３１とを有しているので、実施形態１、２と同様、複数のバンド駒３０をそれぞれ連結ピン３によって順次連結でき、この連結された複数のバンド駒３０を腕に取り付けると、各バンド駒３０の連結部分が外部から見えないように隠すことができ、これにより外観的にもデザイン的にも好ましいものを得ることができる。
【００５３】
この場合には、特に腕時計ケース４に取り付けられる先端側のバンド駒３０の駒本体３１の下面に先端側のバンド駒３０の回転を規制する回転規制部３２をスポット溶接によって一体的に固着したので、駒本体３１に設けられた回転規制部３２が先かんカバー６の下部カバー部１８に当接することにより、腕時計ケース４に対する先端側のバンド駒３０の回転を規制することができる。このため、実施形態１、２と同様、腕時計ケース４を制約せず、時計バンド１を腕に装着したときに、回転規制部３２が外部から見えないように隠すことができ、これにより外観的にもデザイン的にも好ましいものを得ることができ、良好に腕に装着して安全に使用することができる。
【００５４】
また、この回転規制部３２は、連結片７の切欠き部１０に対応して駒本体３１から第１筒部１１の先端側に向けて斜め下方に延出された状態で、駒本体３１の下面にスポット溶接によって一体的に固着されていることにより、回転規制部３２を別に形成することができ、この回転規制部３２を先端側のバンド駒３０の駒本体３１にスポット溶接で固着するだけで良いので、複数のバンド駒３０の各部品の全ての部品の共通化を図ることができると共に、回転規制部３２を設けても部品点数の増加を最小限に抑えることができる。
【図面の簡単な説明】
【００５５】
【図１】この発明の時計バンドを腕時計ケースに取り付けた状態の要部を示した拡大側面図である。（実施形態１）
【図２】図１における腕時計ケース側に位置する先端側のバンド駒と腕時計ケースのバンド取付部とを示した分解正面図である。
【図３】図２のバンド駒の側面図である。
【図４】図２のバンド駒の底面図である。
【図５】図４のバンド駒の斜視図である。
【図６】図２のＡ−Ａ矢視におけるバンド駒の断面図である。
【図７】図２のＢ−Ｂ矢視におけるバンド駒の断面図である。
【図８】図６の駒本体の展開図である。
【図９】図６の中芯の展開図である。
【図１０】図６の連結片の展開図である。
【図１１】この発明の時計バンドにおける腕時計ケース側に位置する先端側のバンド駒を示した拡大正面図である。（実施形態２）
【図１２】図１１のバンド駒の側面図である。
【図１３】図１１のバンド駒の底面図である。
【図１４】図１１のＣ−Ｃ矢視におけるバンド駒の断面図である。
【図１５】図１１の駒本体の展開図である。
【図１６】この発明の時計バンドにおける腕時計ケース側に位置する先端側のバンド駒を示した拡大正面図である。（実施形態３）
【図１７】図１６のバンド駒の側面図である。
【図１８】図１６のバンド駒の底面図である。
【図１９】図１６のＤ−Ｄ矢視におけるバンド駒の断面図である。
【符号の説明】
【００５６】
１  時計バンド
２、２０、３０  バンド駒
３  連結ピン
４  腕時計ケース
５  バンド取付部
６  先かんカバー
７  連結片
８  中芯
９、２１、３１  駒本体
１０  切欠き部
１１  第１筒部
１２  ばね棒
１３  第２筒部
１５、２２、３２  回転規制部
【図１】
2006175081.tif 000003
【図２】
2006175081.tif 000004
【図３】
2006175081.tif 000005
【図４】
2006175081.tif 000006
【図５】
2006175081.tif 000007
【図６】
2006175081.tif 000008
【図７】
2006175081.tif 000009
【図８】
2006175081.tif 000010
【図９】
2006175081.tif 000011
【図１０】
2006175081.tif 000012
【図１１】
2006175081.tif 000013
【図１２】
2006175081.tif 000014
【図１３】
2006175081.tif 000015
【図１４】
2006175081.tif 000016
【図１５】
2006175081.tif 000017
【図１６】
2006175081.tif 000018
【図１７】
2006175081.tif 000019
【図１８】
2006175081.tif 000020
【図１９】
2006175081.tif 000021